(57)【要約】【課題】ＦＡＸ受信時に印字出力された受信原稿（用紙）をそのまま、あるいは若干の加筆や訂正等を行って返送原稿としてＦＡＸ送信するような利用方法の場合に、確実に誤送信を防止する。【解決手段】ＦＡＸ送信部およびＦＡＸ受信部と、受信時付加処理を行う受信付加処理部と、装置各部を制御する制御部とを含み構成され、前記受信付加処理部は、ＦＡＸ受信データから送信元のＦＡＸ番号情報を抽出する送信番号抽出手段と、前記受信したＦＡＸ画像とともに前記送信元のＦＡＸ番号情報を記録媒体に記録して出力する画像形成部とを備える。【選択図】図６
2009141809.tif 000002
【特許請求の範囲】
【請求項１】
ＦＡＸ送信原稿として画像入力して画像データを得るスキャン処理部と、
ＦＡＸ送信部およびＦＡＸ受信部と、
ＦＡＸ受信処理時に、受信時付加処理を行う受信付加処理部と、
装置各部を制御する制御部と、を含み構成された、ファクシミリ装置であって、
前記受信付加処理部は、
ＦＡＸ受信データから送信元のＦＡＸ番号情報を抽出する送信番号抽出手段と、
前記受信したＦＡＸ画像とともに前記送信元のＦＡＸ番号情報を記録媒体に画像として記録する画像形成部と、を備えることを特徴とするファクシミリ装置。
【請求項２】
ＦＡＸ送信処理時に、送信時付加処理を行う送信付加処理部を更に有し、
前記送信付加処理部は、
送信元のＦＡＸ番号情報が記録された記録媒体を送信原稿としたＦＡＸ送信処理時に、当該送信原稿を読取って得た送信画像中の前記ＦＡＸ番号情報を元に、前記送信元のＦＡＸ番号情報を抽出するＦＡＸ番号情報解析部を備え、
前記ＦＡＸ送信部は、抽出されたＦＡＸ番号情報を相手先として前記送信原稿を送信可能に構成されていることを特徴とする請求項１に記載のファクシミリ装置。
【請求項３】
前記送信元のＦＡＸ番号情報として、当該ＦＡＸ番号情報が変換されたコード画像を前記記録媒体に画像形成することを特徴とする請求項１または２に記載のファクシミリ装置。
【請求項４】
前記送信元のＦＡＸ番号情報と当該送信元を視認可能に標示するための相手先標示情報とを対応付けて登録した、外部宛先情報テーブルを保有し、
ＦＡＸ受信時に、抽出された前記送信元のＦＡＸ番号情報を前記外部宛先情報テーブルを参照して、当該ＦＡＸ番号情報が登録されていればこれに対応した前記相手先標示情報を前記送信元のＦＡＸ番号情報と共に前記記録媒体に画像形成することを特徴とする請求項１〜３のいずれか１項に記載のファクシミリ装置。
【請求項５】
前記送信元情報をＦＡＸ受信用の記録媒体の裏面に画像形成することを特徴とする請求項１〜３のいずれか1項に記載のファクシミリ装置。
【請求項６】
前記相手先標示情報を、または前記相手先標示情報と前記送信元情報とをＦＡＸ受信用の記録媒体の裏面に画像形成することを特徴とする請求項４に記載のファクシミリ装置。
【請求項７】
請求項１〜６のいずれか１項に記載されたファクシミリ装置を包含して構成されていることを特徴とする多機能画像形成装置。
【請求項８】
コンピュータを、請求項１〜６のいずれか１項に記載されたファクシミリ装置として機能させるためのプログラム。
【請求項９】
請求項８に記載のプログラムを記録したコンピュータ読取り可能な記録媒体。
【発明の詳細な説明】
【技術分野】
【０００１】
本発明は、ファクシミリ機能を備えたファクシミリ装置、多機能画像形成装置およびプログラムに関し、受信時のＦＡＸ出力用紙を送信原稿として送信元へ返信する場合に、人の手作業によるＦＡＸ番号入力を必要なくして、誤送信を防止する技術に関する。
【背景技術】
【０００２】
現在、ファクシミリ（以下、ＦＡＸと記載することがある）による送信が広く普及している。このようなファクシミリ通信において、誤送信は大きな問題であり、最近の個人情報保護法や社内の秘密事項などを含むあらゆる分野における内部統制などのセキュリティの観点からも情報の流出を有効に防止する装置、方法が求められている。
【０００３】
セキュリティ確保のため、金融機関の中にはＦＡＸ送信時に２人が立会いながらＦＡＸ送信を行っている事例もある。このようなときでも人の手による作業が必要であるため、人的誤送信（ヒューマンエラー）を完全に排除した誤送信防止を完全に行うことは難しい。
【０００４】
このための対応として、ＦＡＸ通信の相手先機器と予備的に通信して適宜のネゴシエーションを行い、誤送信を防ぐ方法が知られているが、この種方法においては、送信、受信の双方のＦＡＸ端末に誤送信を防止するための何らかの機能を付与する必要があり、相手先のＦＡＸ端末が標準機（基本的規格にのみ沿って設計された装置）である場合には想定した効果を得ることはできない。また、結局、送信先へのＦＡＸ番号は最終的には人の手を介して入力を行う（人の手による入力）ので、誤送信を防止するという観点では、効果が十分であるとは言えない。
【０００５】
この種の通信時に誤送信を防止することのできる技術として、特許文献１を挙げることができる。この特許文献１には、データを送信する通信部１８と、通信部１８に送信を指示する主制御部１１と、ＦＡＸ番号を入力する入力部１２、入力されたＦＡＸ番号と、該ＦＡＸ番号に対応する通信先の名称や識別コードを記憶するＲＡＭと、ＦＡＸ番号を入力したことに応動して、前記ＲＡＭから通信先の名称等を読み出して表示する表示部１３とを有し、通信先の名称等が表示されるまでは、主制御部１１は、データの送信を禁止するので、たとえば送信者が通信先のアドレスとして誤ったＦＡＸ番号を入力したとしても、送信者が表示部１２の表示に基づき相手先の名称等を確認して誤っていれば、このときにたとえば送信ストップボタン等を押すことにより、誤送信を防止することが可能になっている。
【０００６】
しかしながら、この特許文献１に記載の誤送信防止は、手入力での誤りによる誤送信は回避できるが、基となるＦＡＸ番号とこれに対応する通信先の名称や識別コードを、送信先として予め登録する際に誤って入力がされた場合には誤送信を回避することができないという問題点がある。また、上記発明においても結局、送信先へのＦＡＸ番号は人の手を介して入力を行う必要があり誤送信防止という目的では効果が不十分である。
【０００７】
また特許文献２は、本件出願人による出願であるが、この特許文献２には、原稿を読取る読取り部（２）と、その原稿を送信する宛先を入力する入力部（５）と、書類の様式とその様式の書類に送信許可を与えている宛先を対応づけて登録する様式・宛先記憶部（４）と、その原稿の様式と送信先とが様式・宛先記憶部（４）に登録されているかを照合する照合部（６）と、その原稿を送信先に送信する変復調部（７）とを備え、読取られた原稿の様式が様式・宛先記憶部（４）に登録されている場合、その一致した登録様式が送信許可を与えている宛先の中に送信先があると照合部（６）で判断した場合には、その原稿を変復調部（７）から送信先へ送信し、さもなければ送信を中止するようにして、誤送信を防止する“ファクシミリ装置”の発明が記載されている。
【０００８】
ところで、ＦＡＸの用途として、ＦＡＸ受信時に印字出力された受信原稿（用紙）をそのまま、あるいは若干の加筆や訂正等を行って返送原稿としてＦＡＸ送信するような用い方が広く行われ、活用されている。例えば、単に確かに受信したことの相手への確認通知の手段として、受信原稿をそのままあるいは、添え書きを加える等して返送（送信）することが多々ある。また、原稿内容の添削や修正を受ける目的でＦＡＸを受けた場合には、通常は受信原稿に手を加えて、送信元に返送する場合が多い。
【０００９】
その他にも、顧客情報として個人情報を取り扱う申し込み受付業務を日常的に行っているのような部署では、ＦＡＸで送られてきた申し込み書の記載内容に不備があったりしたときに送信元に対して申し込み書をＦＡＸで返送を行う必要が生じる。あるいは、アンケート用紙をＦＡＸ送信して回答を記入してもらい、ＦＡＸにより返送してもらって集計する場合等も、送付原稿をそのまま使い返送がされる。このような用途では、特に、ＦＡＸの誤返送（誤送信）は、大きなトラブルに繋がる慮がある。
【００１０】
なお、本発明に関連して触れておくと、アナログ式ファクシミリ装置で利用するＰＳＴＮ（公衆回線網）では、発呼者電話番号案内サービス（ナンバーディスプレイサービス）が提供されている。これを利用した場合には発呼者の電話番号データ（ＦＡＸ番号データ）が受信側に通知されこれを取得して受信側装置表示部に相手先の電話番号が表示される。また、各社の独自プロトコルとしてファクシミリ装置のＦＡＸ番号が通知されるような機能を備えた装置が各種知られている。また、回線にＩＳＤＮ網を利用したデジタル式ファクシミリ装置においては、Ｇ４規格のＦＡＸ通信プロトコル上で相手先情報を知ることができる。
【特許文献１】特開２０００−１８４００７号公報
【特許文献２】特開２００２−３４４７１５号公報
【発明の開示】
【発明が解決しようとする課題】
【００１１】
本発明は、上述した如くのＦＡＸ通信における様々な実状を考慮して、特に、前述した、ＦＡＸ受信時に印字出力された受信原稿（用紙）をそのまま、あるいは若干の加筆や訂正等を行って返送原稿としてＦＡＸ送信するような利用形態の場合に、確実に誤送信を防止することができる、ファクシミリ装置、ファクシミリ機能を備えた多機能画像形成装置を提供することを目的とするものである。
【課題を解決するための手段】
【００１２】
上記の課題を解決するために、請求項１に記載の発明は、ＦＡＸ送信原稿として画像入力して画像データを得るスキャン処理部と、ＦＡＸ送信部およびＦＡＸ受信部と、ＦＡＸ受信処理時に、受信時付加処理を行う受信付加処理部と、装置各部を制御する制御部と、を含み構成された、ファクシミリ装置であって、前記受信付加処理部は、ＦＡＸ受信データから送信元のＦＡＸ番号情報を抽出する送信番号抽出手段と、前記受信したＦＡＸ画像とともに前記送信元のＦＡＸ番号情報を記録媒体に画像として記録する画像形成部と、を備えることを特徴とする。
【００１３】
また、請求項２に記載の発明は、請求項１に記載のファクシミリ装置において、ＦＡＸ送信処理時に、送信時付加処理を行う送信付加処理部を更に有し、前記送信付加処理部は、送信元のＦＡＸ番号情報が記録された記録媒体を送信原稿としたＦＡＸ送信処理時に、当該送信原稿を読取って得た送信画像中の前記ＦＡＸ番号情報を元に、前記送信元のＦＡＸ番号情報を抽出するＦＡＸ番号情報解析部を備え、前記ＦＡＸ送信部は、抽出されたＦＡＸ番号情報を相手先として前記送信原稿を送信可能に構成されていることを特徴とする。
【００１４】
また、請求項３に記載の発明は、請求項１または２に記載のファクシミリ装置において、前記送信元のＦＡＸ番号情報として、当該ＦＡＸ番号情報が変換されたコード画像を前記記録媒体に画像形成することを特徴とする。
【００１５】
また、請求項４に記載の発明は、請求項１〜３のいずれか１項に記載のファクシミリ装置において、前記送信元のＦＡＸ番号情報と当該送信元を視認可能に標示するための相手先標示情報とを対応付けて登録した、外部宛先情報テーブルを保有し、ＦＡＸ受信時に、抽出された前記送信元のＦＡＸ番号情報を前記外部宛先情報テーブルを参照して、当該ＦＡＸ番号情報が登録されていればこれに対応した前記相手先標示情報を前記送信元のＦＡＸ番号情報と共に前記記録媒体に画像形成することを特徴とする。
【００１６】
また、請求項５に記載の発明は、請求項１〜３のいずれか1項に記載のファクシミリ装置において、前記送信元情報をＦＡＸ受信用の記録媒体の裏面に画像形成することを特徴とする。
【００１７】
請求項６に記載の発明は、請求項４に記載のファクシミリ装置において、前記相手先標示情報または前記相手先標示情報と前記送信元情報をＦＡＸ受信用記録媒体の裏面に画像形成することを特徴とする。
【００１８】
また、請求項７に記載の発明は、請求項１〜６のいずれか１項に記載されたファクシミリ装置を包含して構成されていることを特徴とする多機能画像形成装置である。
【００１９】
請求項８に記載の発明は、コンピュータを、請求項１〜６のいずれか１項に記載されたファクシミリ装置として機能させるためのプログラムである。
【００２０】
請求項９に記載の発明は、請求項８に記載のプログラムを記録したコンピュータ読取り可能な記録媒体である。
【発明の効果】
【００２１】
受信したＦＡＸ原稿を送信元へ返信（返送）する場合に、受信時に出力される受信ＦＡＸ原稿面あるいは原稿裏面に、相手先として記録されたＦＡＸ番号情報（コード化される場合を含む）をそのまま返送先として自動発呼に用いるため、人の手作業によってＦＡＸ番号を入力する必要が無く人的エラーが排除されてＦＡＸの誤送信（誤返送）を確実に防止することができる。特に、受信ＦＡＸ原稿内容中にＦＡＸ番号等が記載されている必要が全く無いという、従来技術には見られない利点を有している。
【発明を実施するための最良の形態】
【００２２】
［第１実施形態］
以下、図面を参照して、本発明のファクシミリ装置を、実施形態により詳細に説明する。まず、このようなファクシミリ装置として、使用される本発明の実施形態としての複合機（ＭＦＰ：多機能画像形成装置）の構成に関し、図１の機能ブロック図に基づいて説明する。
【００２３】
この第１の実施形態のＭＦＰ（Multi Function Printer）は、プリンタ、スキャナ、コピー機、ＦＡＸ装置等の種々の機能を有する。またＰＣ（Personal Computer）からのコマンドや自機の操作部からの操作に従って、データ蓄積手段としてのメモリに蓄積されているデータを管理したり、そのデータ内容を画像形成部（プリンタエンジン部）によって画像形成して出力したり、ＦＡＸ通信部により、他のＦＡＸ機能を有する装置にＦＡＸ送信することができる。全体構成や機構関連細部等は、既知であるから説明は省略し、以下では本願発明に関連深い処理部の構成要素とこれら要素間の関係についてのみ詳述する。
【００２４】
図１に示すように、本実施形態のファクシミリ装置としてのＭＦＰは、ＦＡＸ受信部１及びＦＡＸ送信部５を有したＦＡＸ通信部（変調／復調部）と、原稿記憶部２１として使用されるメモリ２と、制御部３と、画像形成部（印刷処理部）４と、スキャン処理部（画像入力部）６と、スキャンしたＦＡＸ送信用の原稿画像を解析してファクス番号（番号数値データ）を抽出するＦＡＸ番号情報解析部７と、送信先設定部８と、受信付加処理部９と、ネットワークＩ／Ｆ１０と、タッチパネル、操作盤などからの入力を行う（操作)入力部１２と液晶などで構成された（薄型）表示部１３を有して構成されている。ＦＡＸ通信部１は公衆回線（ＰＳＴＮ）を介して、ＦＡＸ機能を有する装置（ＭＦＰその他）と接続されている。なお、ＬＡＮ（Local Area Network）などを介してＰＣと接続することができるが、発明には関連薄く詳細は省略する。
【００２５】
そして本実施形態では、送信元から送られた信号中の送信元ＦＡＸ番号データ（返送時には返送先ＦＡＸ番号となる）がユーザ情報として、受信されたＦＡＸ画像と関連付けされて管理されて一旦、記憶部に保存され、受信完了後に、これら受信したＦＡＸ画像を受信原稿としてプリントアウトする場合、両面印刷機能を利用して、ＦＡＸ画像印刷面と反対側面（裏面）には送信元のＦＡＸ番号を画像として印刷することが可能となっている。なお、実施形態では用紙反転機能を利用して両面印刷機能を実現しているが、両面印刷機能自体は、その他の方式で実現されていても不都合はない。
【００２６】
データ蓄積手段としての記憶部２（メモリ２）は、文書等のデータを蓄積する手段としての機能を有し、ＨＤＤ等の大容量不揮発メモリによって構成されている。この手段に記憶させるデータとしては、例えばスキャン処理部６によって読取ったデータや、ＦＡＸ通信手段より受信した画像データやネットワークＩ／Ｆを介してＰＣから受信した文書データ等が挙げられる。また、記憶部２にはＣＰＵによって実行されるプログラムを記録させることもできる。
【００２７】
制御部３は、コンピュータ相当の制御機能を有しており、この機能は、通常のコンピュータの有するハード構成と同様の、ＣＰＵ、ＲＯＭ、ＲＡＭ、データ蓄積手段（ＨＤＤなど）を少なくとも備えて構成されている。
【００２８】
ＣＰＵ（Central Processing Unit）は、ＲＯＭ等に格納されたＭＦＰモジュールを初めとする各種制御プログラムを実行することで、画像形成部４による画像形成、スキャン処理部６による画像読取、ＦＡＸ受信処理部１、ＦＡＸ送信部５を含むＦＡＸ通信部による画像情報の送受信等を含む各部の動作の制御を行う。またネットワークＩ／Ｆ（ネットワークインタフェース）１０を介して受信するＰＣからのコマンドを解釈し、そのコマンドに対する動作を実行したり、そのコマンドに対する応答を当該ＰＣ等に応答したりする処理を実行することができる。
【００２９】
ＲＯＭは、ＭＦＰモジュールを初めとする各種制御プログラムを記憶する記憶手段である。このＲＯＭを書き換え可能な記憶手段で構成すれば、新たなコマンドや機能を追加する場合、あるいはバージョンアップが容易ともなる。ＲＡＭはＣＰＵのワークメモリとして使用されたり、あるいは必要なデータ等を記憶したりすることができる記憶手段としての機能を有している。
【００３０】
ネットワークＩ／Ｆ１０は、ＭＦＰをネットワークに接続するためのインタフェースである。これ以外にも、図示しないエンジンＩ／Ｆ、スキャナＩ／Ｆを備えている。これらはシステムバスによって接続されている。
【００３１】
ＦＡＸ通信部１５は、明示しないネットワーク制御部、ＦＡＸモデム等により構成され、通信回線としての公衆回線を介して、ＦＡＸ通信機能を有する他の装置とＦＡＸ通信を行う機能を有する。ここでは便宜上、機能的にはＦＡＸ受信部１とＦＡＸ送信部５で構成されるものとして説明している。
【００３２】
図２は本実施形態のＭＦＰのＦＡＸ受信時に機能する主要部を抜き出して示した構成ブロック図である。実施形態装置は受信機能部としての、ＦＡＸ受信部１、原稿記憶部２１および画像形成部４に加えて、ＦＡＸ受信処理時に、受信時付加処理を行う受信付加処理部９（図１参照）として、送信元ＦＡＸ番号抽出部９１と送信元情報重畳部９２を備えている。なお、画像形成部４は、用紙反転手段４１を備えていて受信原稿プリントアウト時に用紙の両面に印刷を行えるようになっている。
【００３３】
送信元ＦＡＸ番号抽出部９１は、ＦＡＸ受信部１での受信信号から送信元ＦＡＸ番号データを抽出する。抽出した送信元ＦＡＸ番号データは、ＦＡＸ受信部１で得た受信画像（群）と対応付けて原稿記憶部２１に順次蓄積される。原稿受信が完了すると受信画像（群）は、自動的にあるいは指示を待って画像形成部４から受信原稿として出力されるが、送信元情報重畳部９２は、個々の用紙の受信画像が印刷されるのと反対側面（裏面）の所定位置に、当該ＦＡＸ受信の送信元ＦＡＸ番号を後の返送工程の返送先ＦＡＸ番号として画像印刷させる。制御部３が、これら各部の動作を制御する。なお、後述するように受信画像印刷面に送信元ＦＡＸ番号が合成されて印刷されるような仕様（後述送信過程の仕様も対応させる）も可能である。こうして、ＦＡＸ受信時には受信原稿は、その裏面に送信元ＦＡＸ番号が標記（印刷）されてプリントアウトされる。
【００３４】
図３は本実施形態においてＦＡＸ送信時に機能する主要部を抜き出して示した構成ブロック図である。実施形態装置は送信機能部として、送信すべきＦＡＸ原稿を両面スキャンして読取り画像をメモリに保存するスキャン処理部６と、スキャン処理部６によりスキャンされたスキャン画像を続き頁番号で管理して保存しておくメモリ２’（前述メモリ２で可）とを有し、更に、送信時付加処理を行う送信付加処理部として、原稿の裏面（偶数ページ）に標記されていてスキャン処理部６で読取ったＦＡＸ番号情報イメージを解析してＦＡＸ番号を取り出すためのＦＡＸ番号解析処理部７と、ここでは前記メモリ２’からデータを読み出して各処理部へとデータ処理指示を行う前述した制御部３と、原稿面の画像データ（奇数ページ）を、前記取り出されたＦＡＸ番号に対してＦＡＸ送信を行うＦＡＸ送信処理部５とを含み構成されている。ＦＡＸ送信処理部５には、送信付加処理部としての送信先設定部８が備わっていて、ＦＡＸ番号解析処理部７で抽出された、送信元ＦＡＸ番号の数字データが送られてきた場合には、この数字データに従って自動的に発呼し通信を開始することができる。
【００３５】
送信機能部では、自機で受信した上述した如くに裏面に送信元ＦＡＸ番号が標記された受信原稿を、そのまま或は記入や書き込みを行ってから、ＦＡＸ送信原稿として受信時送信元に返送する場合に有効に機能して、自動的に発呼を行うという特有の作用・効果が得られる。
【００３６】
なお、非対応原稿を送信する際に、裏面からＦＡＸ番号を取り出せなかった場合は、通常通りのＦＡＸ送信モードとなりダイアル操作を含む発呼操作がユーザによってされるのを待つ。すなわち、実施形態装置は通常通りのＦＡＸ送信を行うことも勿論可能である。
【００３７】
このような実施形態のファクシミリ装置としてのＭＦＰのＦＡＸ受信時の一連の処理手順動作を、図４に示すフローチャートにより説明する。ここでは、ナンバーディスプレイサービスを利用して受信時に相手先ファクシミリの電話番号を取得し、メモリに保存するものとする。
【００３８】
ファクシミリ装置は、相手方（送信側）からＦＡＸ送信の信号を受信したとき（「スタート」）に、一連のＦＡＸプロトコルに従って受信処理を開始する（Ｓ１）。回線接続過程で、ナンバーディスプレイサービスを利用して、ＦＡＸの相手方の相手先情報としてＦＡＸ番号を数値データとして取得し、メモリに蓄積する（Ｓ２）。また、ＦＡＸの受信画像をメモリに蓄積する（Ｓ３）。こうして、全ての画像ページのＦＡＸ通信が完了したら、一連のＦＡＸプロトコルに従って受信終了処理を実行し、相手とのＦＡＸ受信処理を終了する（Ｓ４）。
【００３９】
そして、メモリから蓄積した画像データ（受信原稿画像）をページの順番どおりに１ページずつ読み出し、用紙の表面に印刷を行う（Ｓ５）。更に、用紙反転手段４１で用紙を反転した後、メモリに蓄積していた相手先情報としてのＦＡＸ番号を読み出し、紙の裏面に印刷を行う（Ｓ６）。
以上のＳ５〜Ｓ６の一連の処理動作をページ毎に受信したページ枚数分繰り返して、全ての受信過程を完了する。以上のようにして、全ての裏面に相手先情報が標記された受信原稿（群）が得られる。
【００４０】
本発明は、受信した内容を受信原稿を使って送信元にＦＡＸ返信（すなわち、原稿の返送）をする場合に有効に意図した効果を発揮する。続いて図５のフローチャートを用いて、この受信原稿に、必要な加筆や訂正等を行って返送原稿としてＦＡＸ送信（返送）する場合の本実施形態における返信時（送信）の動作例について説明する。言うまでも無く、ここでＦＡＸで送信したい画像自体は片面（表側の面）である。
【００４１】
ＦＡＸ返送に際しては、まず、既に受信し印刷されたＦＡＸ原稿のおもて面（原稿面）に記入・加筆・修正等が加えられたもの、場合によっては受信したそのままのものを、返送用原稿としてＦＡＸ送信すべく、スキャン装置部に画像読取り可能にセットし、図５に示すように、表側面の原稿画像のスキャンを行って内容を読取り、得られた読取データをメモリ２に蓄積する（Ｓ１１）。そして、同じ原稿の裏面に表面画像とは対になって印刷されている裏面画像のスキャンを行って、得られた読取画像のデータをメモリ２に蓄積する（Ｓ１２）。
以上のステップＳ１１〜Ｓ１２の一連の処理動作を、原稿枚数分繰り返し、送信のための読取り処理過程が終了する。
【００４２】
続いて、これまでの過程によってメモリ２に蓄積されている、裏面（蓄積順では偶数ページとなる）の画像データの前述ＦＡＸ番号の印刷領域について画素データを読み出して、ＦＡＸ番号情報解析部７によって画素データを処理（数字を識別し抽出）してＦＡＸ番号（データ）に変換する（Ｓ１３）。
【００４３】
続いて、一連のＦＡＸプロトコルに従ってＦＡＸ送信処理を開始する（Ｓ１４）。この際、返信原稿から得られたＦＡＸ番号データを使って自動発呼が行われる。従って、誤送の慮はない。受信側の応答確認後、表面（奇数ページ）の画像データをメモリから読み出し、ＦＡＸ送信を行う（Ｓ１５）。前記ステップＳ１５をＦＡＸ原稿枚数分繰り返し、全ページを送信する。最後に、一連のＦＡＸプロトコルでＦＡＸ送信処理を完了して（Ｓ１６）、全送信過程を完了する。
【００４４】
このようにして、本実施形態によれば、受信したＦＡＸを送信元に対して返信する場合に、誤送信を確実に防ぐことができる。なお、裏面に印刷される送信元情報が反対面の受信画像（原稿内容）に干渉する慮は全くない。
【００４５】
なお、裏面のＦＡＸ番号については、複数枚原稿の場合に、全てのページに印刷しないようにしても良い。例えば１枚目の原稿の裏面にもみ印刷標記をするように制御する態様に変更しても、上述したと同等効果が得られる。また、送信時に裏面を上方に向けてセットする仕様の装置であれば、少なくとも最終ページ裏面に印刷するようにしておけば、操作者が目視で補助的に送信先を確認することもできて好ましい。
【００４６】
その他の変形として、前述の返送先ＦＡＸ番号を受信原稿面に標記（合成印刷）することが考えられる。この場合には、送信元情報重畳部９２は、原稿画像データに返送先ＦＡＸ番号を画像として合成して、画像形成部４により受信ＦＡＸ原稿として重畳印刷すれば良い。重畳位置は、用紙の上下の余白部（ヘッダあるいはフッタ部分）や、左右の余白部のみを使って印刷するように制御すれば、原稿を読み難くする慮がなく好ましい。
【００４７】
このような構成に対応して送信側では、表面（原稿面）のみを読取れば良く、読取りデータの対応位置から返送先ＦＡＸ番号の画像を抽出して、ＦＡＸ番号（数値）に変換し、これを送信先に設定して自動発呼させる。
【００４８】
［第２実施形態］
次に、本発明の第２の実施形態について説明する。図６は、第２実施形態の複合機（ＭＦＰ）の構成に係る機能ブロック図である。図６に示すように、本実施形態装置の構成は、前実施形態の構成と類似しているが、メモリ（２’）とＦＡＸ番号情報解析部（７’）と受信付加処理部（９’）についてはその構成（後述）が異なっている。また、新たに照合部１１を備えている。
【００４９】
なお、図６中の、その他のＦＡＸ受信部１及びＦＡＸ送信部５を有したＦＡＸ通信部（変調／復調部）と、制御部３と、画像形成部（印刷処理部）４と、スキャン処理部（画像入力部）６と、送信先設定部８と、ネットワークＩ／Ｆ１０と、タッチパネル、操作盤などからの入力を行う（操作）入力部１２と液晶などで構成された表示部１３については、前実施形態と全く同一構成であるから説明を省略する。
【００５０】
図７は本実施形態のＭＦＰのＦＡＸ受信時に機能する主要部を抜き出して示した構成ブロック図である。また、図８は同ＭＦＰのＦＡＸ送信時に機能する主要部を抜き出して示した構成ブロック図である。
【００５１】
この第２実施形態における、メモリ２’と、ＦＡＸ番号情報解析部７’と、受信付加処理部９’は、前実施形態と同等の機能を勿論備えているが、それぞれに更に機能が追加されている。先ずこれらについて説明すると、メモリ２’には、原稿記憶部２１に加えて、更に外部宛先テーブル２２が備わっている。受信付加処理部９’にはコード化処理部９３が、そしてスキャンした原稿画像からファクス番号を抽出して解析するＦＡＸ番号情報解析部７’にはコード復号部７１が備わっている。これら各部および、照合部１１によって、新たな機能が実現されている。
【００５２】
外部宛先テーブル２２は、相手先ＦＡＸ番号（前述送信元ＦＡＸ番号も含んでこう言う）と、これに対応する個別の相手先を示す情報（印刷出力されると目視によって送信先が認識可能となる）が対応付けて管理しているテーブルである。この外部宛先テーブル２２は、実際にはメモリ２’の同じ記憶領域を分割して管理することで容易に実現することができる。
【００５３】
コード化処理部９３は、既述した送信元ＦＡＸ番号抽出部９１が受信信号から抽出した送信元ＦＡＸ番号データを、ここではバーコード図形に変換して原稿記憶部２１に蓄積する。送信元情報重畳部９２′が受信画像（群）をＦＡＸ受信原稿の所定位置に、当該ＦＡＸ受信の送信元ＦＡＸ番号データに対応するバーコード図形を後の返送工程で使用される返送先ＦＡＸ番号対応図形として画像印刷させる。
【００５４】
コード復号部７１は、上記のＦＡＸ受信原稿を、ＦＡＸ送信原稿として受信時送信元に返送する際に、読取られた原稿の図形データから返送先ＦＡＸ番号対応図形として得られた領域の前述バーコード図形のデータをコードとして認識して対応する数値に変換することによって返送先ＦＡＸ番号（数値データ）を抽出する。送信先設定部８が、ＦＡＸ番号解析処理部７で抽出された、送信元ＦＡＸ番号の数字データを使って自動的に発呼を行う。
【００５５】
本実施形態で、暗号化を機能させた場合、返信先ＦＡＸ番号がコード化処理部９３でコード化（たとえばバーコード化など）されて、ＦＡＸ画像情報と共にメモリ２’内の原稿記憶部２１内に収納される。コード化にはたとえば公知のＪＡＮコードなどのバーコードを用いたり、２次元コード（たとえばスタック式あるいはマトリクス式）を用いたりするなど、公知のコードを用いれば良く、コストの面からも有利である。
【００５６】
ユーザ名、ＦＡＸ番号などのユーザ情報をコード化して受信原稿に標記するようにすれば、これが標記された原稿が人目に触れるようなことがあっても、目視では情報の具体的内容は判読できないからセキュリティ性が向上する。なお、原稿面（表側）に印刷する場合には、バーコードを用いるようにすると、簡単・確実に用紙の上下の余白部（ヘッダあるいはフッタ部分）や、左右の余白部のみを使って印刷でき、原稿を読み難くする慮がなく好ましい。
【００５７】
なお、コード化された情報をデコード化する際に、チェックデジットを用いることにより、送信したい相手先のＦＡＸ番号の読出し時入力ミスがあるか否かを確認することができる。このチェックデジットで用いられる主な方式は、公知の７チェック、９チェック、モジュラス１０、モジュラス１１、モジュラス４３などが用いられてもよく、その他の公知の方式であっても良い。また、その他の算出方式を独自に作成し、この算出方式によりチェックデジットを行うようにすることもできる。こうした確立された技術については、ここでの説明は省略する。
【００５８】
本実施形態の別な新機能として、受信時に取得した送信元情報として、単に相手先から得たＦＡＸ番号データのみでなくこれに加えて、このＦＡＸ番号に対応付け登録されている当該送信先を標示する相手先標示情報を用紙（記録媒体）に印刷して受信原稿として出力可能になっている。すなわち、ＦＡＸ番号データテーブル２２を参照し、データを抽出して、ＦＡＸ番号から、例えば宛先名等の相手先標示情報を表示部に表示するとともに受信原稿にも相手先特定標示として印刷出力される。
【００５９】
この機能を有効活用するために、この実施形態では、ナンバーディスプレイサービスを利用して受信時に相手先ファクシミリ装置のＦＡＸ番号を取得した際に、メモリ２の外部宛先管理テーブル２２に保存する。この外部宛先管理テーブル２２には、ＦＡＸ番号に対応付けて当該相手先の名称や略号等を入力することができる。また、ナンバーディスプレイサービスを利用して受信時に相手先ファクシミリの電話番号を取得し、可能な場合には該受信時のハンドシェイクによって相手先ファクシミリのＣＳＩ（Called Station Identification：被呼端末識別信号），ＲＴＩ（Receiver Terminal Identification：送信先確認表示）の情報を取得し、前記取得した電話番号と前記取得した相手先ファクシミリのＣＳＩ，ＲＴＩの情報とをメモリ２の外部宛先管理テーブル２２に保存することもできるものとする。
【００６０】
本実施形態においても、送信元から送られた文書ファイルが、送信されたＦＡＸ番号情報とが関連付けされて管理されて保存される。そして、この送信元ＦＡＸ番号を送信原稿と併せて印刷出力する際に、片面印刷の場合には受信したＦＡＸ受信画像印刷面と反対側面（裏面）あるいは同じ面に、そのユーザ名、ＦＡＸ番号などのユーザ情報（必要に応じてコード化したもの）を印刷する。
【００６１】
上述した相手先ＦＡＸ番号のコード化および、相手先名称等の標記が選択されている場合の処理は、図示は省略するが、先の図４のフローチャート中のステップＳ５において、外部宛先管理テーブルに相手先名称が登録されているか否かを判断する過程を入れ、登録されている場合には、外部宛先管理テーブルに保管された相手先名称等も同時に印刷する。
【００６２】
［その他の実施形態］
これまで説明した実施形態は反転機能を有して両面印刷可能なものを例示したが、両面印刷機能を持たず片面印刷のみのファクシミリ装置であっても、人の手作業によってＦＡＸ番号を入力する必要が無く人的エラーが排除されてＦＡＸの誤送信を確実に防止するという本発明の目的を達成することができる。この場合には、出力用紙の裏面は利用できないので、受信原稿面にのみ前述したような相手先情報（ＦＡＸ番号や、必要に応じて発信元標示情報）が受信画像データ重畳されて合成印刷がされる。そして、返信時には、上記の受信原稿を返信用の送信原稿として使用し、原稿面のＦＡＸ番号が抽出されてこの番号をＦＡＸ送信先として自動発呼が行われる。既述したようにＦＡＸ番号は、コード化されて受信原稿の例えば下部余白部に合成印刷するようにしても良く、これにより機密保持性が向上する。
【００６３】
片面印刷の場合においても、メモリ内に外部宛先情報テーブルを備えた構成として、既述した実施形態同様に送信先ＦＡＸ番号情報とその送信先を標示する相手先標示情報とを対応付けて登録して、ＦＡＸ受信時に、受信原稿面に抽出された送信元のＦＡＸ番号情報とこれに対応した相手先標示情報を併せて印刷出力させるようにしても良い。このように構成すれば、既に説明したと同様に、原稿の返送先が容易に確認できて利便性が増す。
【００６４】
ちなみに、第２実施形態と同等の構成では、受信されたＦＡＸ画像をプリントアウトする際に、ＦＡＸ番号をＦＡＸ画像印刷面と同一面に印刷する（１パスでの片面印刷）ように設定することができ、いずれかを選択可能に構成することは容易である。片面印刷の場合には、送信元情報重畳部９２で、受信ＦＡＸ画像と受信時相手先のＦＡＸ番号とを画像合成して画像形成部４に送出し、この送出データを画像形成部４が片面印刷する。送信元情報重畳部９２では、受信画像の上端あるいは下端の余白部に相手先ＦＡＸ番号を画像合成する。あるいは、申し込み書やアンケートなどの場合、用紙表側面の予め決められ領域を相手先ＦＡＸ番号を合成印刷するためにあらかじめ余白としておいても良い。
【００６５】
受信した原稿の原稿面あるいは裏面に（必要に応じてコード化された）相手先ＦＡＸ番号と併せて相手先特定標示を標記（印刷）する技術について既に説明したが、ＦＡＸ送信時に装置操作者が視認可能な側の面（ファクシミリ装置の仕様により決まる）に相手先特定標示を標記するように設計すると好ましく、ＦＡＸ送信時に、操作者が目視により送信先を認識することが可能になり使い勝手が向上する。
【００６６】
以上実施形態を挙げて本発明について説明したが、本発明はこれに限定されない。例えば、これまでの説明では、公衆回線網を使ったファクシミリ装置について説明したが、通信回線としてＩＳＤＮ網を使った、高速規格のファクシミリ装置に対して適用することができる。この場合にも、ＦＡＸ着信時にはこれまで説明したと略同様に相手先のＦＡＸ番号や相手先の名称や略称が通知されるのでこれらを既述した相手先情報として直接にあるいは必要に応じてコード化して、受信原稿の原稿面あるいは裏面（両面に振分けても良い）に印刷するようにし、同じ原稿を返送原稿として返信する際に、印刷された相手先情報を読取って送信先ＦＡＸ番号を抽出し、このＦＡＸ番号を使って自動的に発呼過程を実行して所定の一連のＦＡＸ通信処理を行うようにする。この場合にも、既述した受信原稿出力時に付随する態様（ＦＡＸ番号のコード化、返信先を標示する相手先標示情報の並記出力、裏面印刷出力等）についても容易に付加することができる。
【００６７】
実施形態のＭＦＰは、別種機能との併行動作を考慮して、原稿記憶部２１に蓄積されているＦＡＸ受信情報（ＦＡＸ受信画像情報）を、（必要に応じて予め印刷出力に供すことのできるプリントデータに変換して）蓄積し、このプリントデータに基づき画像形成を行うようになっている。しかし、本発明での特徴的なＦＡＸ返送機能の実現には、必ずしもこのような大容量の画像蓄積奇跡機能を必要としない。原稿画像の処理用には、ＦＡＸ送受信に際してページ単位で処理できる画像メモリ（フレームめもり）を活用して、ページ単位の処理を行う構成とすることが可能である。
【００６８】
これまでの説明では、単一のファクシミリ装置が受信付加処理部と送信付加処理部の両方を備えた例を説明したが、一方の機能のみ備えた装置も有意義であり、本発明には、受信付加処理部のみを備えたファクシミリ装置等も含まれる。受信付加処理部を備えた装置においても、単独で、送信元ＦＡＸ番号を抽出して、出力する受信原稿に送信元番号を（原稿面および／または裏面の）所定位置に印刷して標示することができる。この出力された受信原稿を自動返信可能な送信原稿として扱える対応した構成の送信機能を持ったファクシミリ装置を返信用装置として組合わせることで、例えば、分散処理といった有効な活用方法（用途）を提供することができる。この組合わせにおいては、ＦＡＸ番号等がまったく記載されていない原稿、特別な様式によらず全く自由なレイアウトの原稿を受信した場合でも機能し、受信原稿には厳密な制限は一切無いという従前にない特長を有している。ちなみに、この場合の送信機能を備えた返信用ファクシミリ装置については、既に、予め決められた様式に従って標記された電話番号を前提として、この電話番号を光学的に読取ってデータ化し、手入力された送信先番号との照合に供するファクシミリ装置、あるいは自動発呼に利用するファクシミリ装置として提案されている。上記のように、本発明には、受信付加処理部のみを備えたファクシミリ装置等も含まれている。
【図面の簡単な説明】
【００６９】
【図１】第１実施形態の複合機（ＭＦＰ：多機能画像形成装置）の構成を示す機能ブロック図である。
【図２】第１実施形態のＭＦＰのＦＡＸ受信時に機能する主要部を抜き出して示した構成ブロック図である。
【図３】第１実施形態のＭＦＰのＦＡＸ送信時に機能する主要部を抜き出して示した構成ブロック図である。
【図４】実施形態におけるＦＡＸ受信時の動作の流れを示すフローチャートである。
【図５】受信原稿を返送原稿としてＦＡＸ送信（返送）する場合の返信時動作の流れを示すフローチャートである。
【図６】第２実施形態の複合機（ＭＦＰ）の構成を示す機能ブロック図である。
【図７】第２実施形態のＭＦＰのＦＡＸ受信時に機能する主要部を抜き出して示した構成ブロック図である。
【図８】第２実施形態のＭＦＰのＦＡＸ送信時に機能する主要部を抜き出して示した構成ブロック図である。
【符号の説明】
【００７０】
１    ＦＡＸ受信処理部
２，２’    メモリ
２１    原稿記憶部（メモリ）
２２    外部宛先管理テーブル
３    制御部
４    画像形成部（印刷処理部）
５    ＦＡＸ送信部
６    スキャン処理部（画像入力部）
７，７’    ＦＡＸ番号情報解析部
８    送信先設定部
９，９’    受信付加処理部
９１    送信元ＦＡＸ番号抽出部
９３    コード化処理部
１０    ネットワークＩ／Ｆ（ネットワークインタフェース）
１１    照合部
１２    （操作）入力部
１３    表示部
１５    ＦＡＸ通信部
７１    コード復号部
【図１】
2009141809.tif 000003
【図２】
2009141809.tif 000004
【図３】
2009141809.tif 000005
【図４】
2009141809.tif 000006
【図５】
2009141809.tif 000007
【図６】
2009141809.tif 000008
【図７】
2009141809.tif 000009
【図８】
2009141809.tif 000010